(57)【要約】【課題】  複数の放電管を点灯させる場合に、より均一な明るさ及び少ないノイズを実現する。【解決手段】  本発明に係る放電管点灯用回路は、一次巻線が直列に接続され、各二次巻線が個別の放電管の第１の端子に接続される複数の第１のトランスと、二次巻線が第１のトランスとは逆極性の電圧を供給するように放電管の第２の端子に接続される１又は複数の第２のトランスとを有する。そして、複数の第１のトランスのうち直列に接続される一次巻線の両端にあたる第１のトランスが交流電源に接続される。第１のトランスと第２のトランスとにより複数の放電管を差動で駆動するため全ての放電管について均一な明るさを実現し、ノイズを減少させることができる。【選択図】  図７
2006049214.tif 000002
【特許請求の範囲】
【請求項１】
複数の第１のトランスと、
第２のトランスと、
を有し、
各前記第１のトランスの一次巻線は、他の前記第１のトランスの一次巻線と直列に接続され、
各前記第１のトランスの二次巻線は、当該第１のトランスの二次巻線に対応する一の放電管の第１の端子に接続され、
前記第２のトランスの二次巻線は、前記第１のトランスとは逆極性の電圧を供給するように前記放電管の第２の端子に接続され、
前記第１及び第２のトランスの一次巻線が電気的に交流電源に接続される
放電管点灯装置。
【請求項２】
複数の前記放電管に一の前記第２のトランスが接続されることを特徴とする請求項１記載の放電管点灯装置。
【請求項３】
前記複数の第１のトランスの一次巻線と前記第２のトランスの一次巻線が前記交流電源に対して直列に配置されることを特徴とする請求項１記載の放電管点灯装置。
【請求項４】
前記複数の第１のトランスの一次巻線と前記第２のトランスの一次巻線が前記交流電源に対して並列に配置されることを特徴とする請求項１記載の放電管点灯装置。
【請求項５】
前記複数の第１のトランスのうち一次巻線が直列接続される２つの前記第１のトランスの二次巻線に接続される２本の放電管にそれぞれ逆極性の電流が流れるように前記第１のトランスの二次巻線と前記放電管とが接続されることを特徴とする請求項１記載の放電管点灯装置。
【請求項６】
前記第２のトランスがセンタータップを有しており、当該センタータップがグランドに接続されることを特徴とする請求項２記載の放電管点灯装置。
【請求項７】
一次巻線が電気的に交流電源に接続され、二次巻線が放電管に接続された複数のトランスを具備し、各前記トランスの高圧出力により複数の放電管を点灯させる放電管点灯装置であって、
前記複数のトランスは、前記放電管の第１の端子に接続された第１のグループと、前記放電管の第２の端子に接続された第２のグループとに割り振られ、前記第１のグループに属するトランスと前記第２のグループに属するトランスとの差動ドライブにより、前記複数の放電管を点灯させ、
前記第１又は第２のグループの少なくとも一方若しくは両方に、一次巻線が他のトランスの一次巻線と直列接続されたトランスを備えたことを特徴とする放電管点灯装置。
【請求項８】
前記複数の放電管の第１の端子と第２の端子とのうち少なくともいずれかには、一次巻線が他のトランスの一次巻線と直列接続されたトランスが接続されることを特徴とする請求項７記載の放電管点灯装置。
【請求項９】
前記交流電源が、前記第１のグループに属するトランスと前記第２のグループに属するトランスに対して並列に接続されることを特徴とする請求項７記載の放電管点灯装置。
【請求項１０】
前記交流電源が、前記第１のグループに属するトランスと前記第２のグループに属するトランスに対して直列に接続されることを特徴とする請求項７記載の放電管点灯装置。
【発明の詳細な説明】
【技術分野】
【０００１】
本発明は、放電管点灯装置に関する。
【背景技術】
【０００２】
例えば液晶表示装置のバックライトには従来から冷陰極線蛍光管などの放電管が良く用いられている。図１に放電管のための基本的な点灯回路の一例を示す。図１の点灯回路は、インバータＶ１０１と、トランスＴ１０１と、放電管ＬＰ１０１とを含む。そして、インバータＶ１０１は、トランスＴ１０１の一次巻線の端子Ｐ１及びＰ２に接続され、放電管ＬＰ１０１の一端はトランスＴ１０１の二次巻線の端子Ｓ１に接続される。放電管ＬＰ１０１の他端及びトランスＴ１０１の二次巻線の端子Ｓ２は、接地されている。インバータＶ１０１の出力電圧をトランスＴ１０１にて昇圧して放電管を点灯させている。
【０００３】
また、図２に他の従来技術に係る点灯回路を示す。図２に示す点灯回路は、インバータＶ１０２と、トランスＴ１０２及びＴ１０３と、放電管ＬＰ１０２とを含む。そして、インバータＶ１０２は、トランスＴ１０２の一次巻線の端子Ｐ１及びＰ２並びにトランスＴ１０３の一次巻線の端子Ｐ１及びＰ２に接続されている。すなわち、トランスＴ１０２及びＴ１０３は、インバータＶ１０２に並列に接続されている。また、放電管ＬＰ１０２の一端はトランスＴ１０２の二次巻線の端子Ｓ１に接続され、放電管ＬＰ１０２の他端はトランスＴ１０３の二次巻線の端子Ｓ２に接続されている。なお、トランスＴ１０２の二次巻線の端子Ｓ２及びトランスＴ１０３の二次巻線の端子Ｓ１は、グランドに接続されている。すなわち、放電管ＬＰ１０２の左右の端子には逆極性の電圧が印加されるように接続され、放電管ＬＰ１０２は差動ドライブされている。従って、浮遊容量へのリーク電流は、少なく且つ逆位相なのでトータルすると０となり、安定した電流が流れるため、放電管ＬＰ１０２の左右の輝度差が無くなる。但し、放電管の数を複数にした場合には、そのままでは放電管同士の電流を均一にすることができず、さらにインバータの数をも増加させることになる。
【０００４】
近年、液晶表示装置などの大画面化により、１つのバックライトには数本から２０本程度の放電管が使用されている。このとき冷陰極線蛍光管などの放電管は、電流が流れると突然電圧が下がるという不正抵抗性や、そのインピーダンスのばらつきにより、各放電管の安定点灯や発光に問題を有している。そこで以下のような回路が用いられている。
【０００５】
図３に複数の放電管を点灯させるための従来技術に係る点灯回路を示す。図３に示す点灯回路は、４つの放電管ＬＰ１０４乃至ＬＰ１０７を点灯させるための回路であって、インバータＶ１０４とトランスＴ１０４と放電管ＬＰ１０４と抵抗Ｒ１０４と電流検出フィードバック線１０４とを有する第１の回路と、インバータＶ１０５とトランスＴ１０５と放電管ＬＰ１０５と抵抗Ｒ１０５と電流検出フィードバック線１０５とを有する第２の回路と、インバータＶ１０６とトランスＴ１０６と放電管ＬＰ１０６と抵抗Ｒ１０６と電流検出フィードバック線１０６とを有する第３の回路と、インバータＶ１０７とトランスＴ１０７と放電管ＬＰ１０７と抵抗Ｒ１０７と電流検出フィードバック線１０７とを有する第４の回路とを有する。インバータＶ１０４は、トランスＴ１０４の一次巻線の端子Ｐ１及びＰ２に接続されており、放電管ＬＰ１０４の一端はトランスＴ１０４の二次巻線の端子Ｓ１に接続され、放電管ＬＰ１０４の他端は電流検出用の抵抗Ｒ１０４の一端及び電流検出フィードバック線１０４の一端に接続される。抵抗Ｒ１０４の他端及びトランスＴ１０４の二次巻線の端子Ｓ２はグランドに接続される。電流検出フィードバック線１０４の他端はインバータＶ１０４に接続されている。以下、第２乃至第４の回路についても接続関係は同様であるから説明は省略する。この点灯回路では、電流フィードバック線で検出された電流に応じてインバータを制御することにより、各放電管の点灯を制御するようになっている。よって、全ての放電管を確実に点灯させ、全放電管の電流を均一化させることはできる。
【０００６】
図４に他の従来技術に係る点灯回路を示す。図４に示す点灯回路は、４つの放電管ＬＰ１０８乃至ＬＰ１１１を点灯するための回路であって、インバータＶ１０８と、トランスＴ１０８乃至Ｔ１１１と、キャパシタＣ１０８乃至Ｃ１１１と、放電管ＬＰ１０８乃至ＬＰ１１１とを含む。インバータＶ１０８は、トランスＴ１０８の一次巻線の端子Ｐ１及びＰ２、トランスＴ１０９の一次巻線の端子Ｐ１及びＰ２、トランスＴ１１０の一次巻線の端子Ｐ１及びＰ２、トランスＴ１１１の一次巻線の端子Ｐ１及びＰ２に接続されている。すなわち、トランスＴ１０８乃至Ｔ１１１は、インバータＶ１０８に並列に接続されている。また、放電管ＬＰ１０８の一端は、キャパシタＣ１０８を介してトランスＴ１０８の二次巻線の端子Ｓ１に接続されている。すなわち放電管ＬＰ１０８とキャパシタＣ１０８は直列に接続されている。また、放電管ＬＰ１０８の他端及びトランスＴ１０８の二次巻線の端子Ｓ２は、グランドに接続されている。さらに、放電管ＬＰ１０９の一端は、キャパシタＣ１０９を介してトランスＴ１０９の二次巻線の端子Ｓ１に接続されている。すなわち放電管ＬＰ１０９とキャパシタＣ１０９は直列に接続されている。また、放電管ＬＰ１０９の他端及びトランスＴ１０９の二次巻線の端子Ｓ２は、グランドに接続されている。放電管ＬＰ１１０の一端は、キャパシタＣ１１０を介してトランスＴ１１０の二次巻線の端子Ｓ１に接続されている。すなわち放電管ＬＰ１１０とキャパシタＣ１１０は直列に接続されている。また、放電管ＬＰ１１０の他端及びトランスＴ１１０の二次巻線の端子Ｓ２は、グランドに接続されている。放電管ＬＰ１１１の一端は、キャパシタＣ１１１を介してトランスＴ１１１の二次巻線の端子Ｓ１に接続されている。すなわち放電管ＬＰ１１１とキャパシタＣ１１１は直列に接続されている。また、放電管ＬＰ１１１の他端及びトランスＴ１１１の二次巻線の端子Ｓ２は、グランドに接続されている。このように、１つのインバータに対して複数の放電管を並列に接続して、安定点灯や均一化のためにバラスト・コンデンサをそれぞれの放電管に直列に入れることにより、電流のばらつきを抑えている。なお、バラスト・コンデンサではなくコイルを入れたり、結合係数を故意に下げてリーク・インダクタンスを作ったバラスト・コイル兼用のトランスを各放電管に対して設けたりしてもよい。
【０００７】
図５にさらに他の従来技術に係る点灯回路を示す。図５に示す点灯回路は、インバータＶ１１２と、トランスＴ１１２乃至Ｔ１１６と、放電管ＬＰ１１２乃至ＬＰ１１５とを含む。インバータＶ１１２は、トランスＴ１１２の一次巻線の端子Ｐ１及びＰ２、並びにトランスＴ１１６の一次巻線の端子Ｐ１及びＰ２に接続されている。すなわち、トランスＴ１１２及びＴ１１６は、インバータＶ１１２に並列に接続されており、差動ドライブを実現している。また、トランスＴ１１２の二次巻線の端子Ｓ１は、トランスＴ１１３の一次巻線の端子Ｐ２及び二次巻線の端子Ｓ１に接続されている。また、トランスＴ１１３の一次巻線の端子Ｐ１は、放電管ＬＰ１１４及びＬＰ１１５の一端に接続されている。さらに、トランスＴ１１３の二次巻線の端子Ｓ２は、放電管ＬＰ１１２及びＬＰ１１３の一端に接続されている。一方、放電管ＬＰ１１５の他端は、トランスＴ１１５の一次巻線の端子Ｐ１に接続され、放電管ＬＰ１１４の他端は、トランスＴ１１５の二次巻線の端子Ｓ２に接続される。トランスＴ１１５の一次巻線の端子Ｐ２及び二次巻線の端子Ｓ１は、トランスＴ１１６の二次巻線の端子Ｓ２とトランスＴ１１４の一次巻線の端子Ｐ１及び二次巻線の端子Ｓ２とに接続される。また、放電管ＬＰ１１２の他端は、トランスＴ１１４の二次巻線の端子Ｓ１に接続され、放電管ＬＰ１１３の他端は、トランスＴ１１４の一次巻線の端子Ｐ２に接続される。トランスＴ１１６の二次巻線の端子Ｓ１及びトランスＴ１１２の二次巻線の端子Ｓ２は接地されている。このように、４つの放電管ＬＰ１１２乃至ＬＰ１１５に対して３個のコモンモード・チョーク、すなわち１対１トランス（トランスＴ１１３乃至Ｔ１１５）を使用して安定点灯や均一化を図るものである。
【０００８】
図６にさらに他の従来技術に係る点灯回路を示す。図６に示す点灯回路は、インバータＶ１１７と、トランスＴ１１７乃至Ｔ１２０と、放電管ＬＰ１１７乃至ＬＰ１２０とを含む。インバータＶ１１７は、トランスＴ１２０の一次巻線の端子Ｐ１と、トランスＴ１１７の一次巻線の端子Ｐ２に接続されている。また、トランスＴ１２０の一次巻線のＰ２とトランスＴ１１９の一次巻線の端子Ｐ１とが接続され、トランスＴ１１９の一次巻線のＰ２とトランスＴ１１８の一次巻線の端子Ｐ１とが接続され、トランスＴ１１８の一次巻線のＰ２とトランスＴ１１７の一次巻線の端子Ｐ１とが接続されている。すなわち、トランスＴ１１７乃至Ｔ１２０とインバータＶ１１７は直列に接続されている。さらに、トランスＴ１１７の二次巻線の端子Ｓ２は、放電管ＬＰ１１７の一端と接続されており、トランスＴ１１８の二次巻線の端子Ｓ２は、放電管ＬＰ１１８の一端と接続されており、トランスＴ１１９の二次巻線の端子Ｓ２は、放電管ＬＰ１１９の一端と接続されており、トランスＴ１２０の二次巻線の端子Ｓ２は、放電管ＬＰ１２０の一端と接続されている。そして、放電管ＬＰ１１７乃至ＬＰ１２０の他端及びトランスＴ１１７乃至Ｔ１２０の二次巻線の端子Ｓ１は、グランドに接続されている。このようにトランスの二次巻線と放電管は独立に接続されており、放電管自身を直列にインバータに接続したのと実質的に同じ効果を得ることができる。
【特許文献１】特開平９−２３７６８６号公報
【特許文献２】実公昭６４−５３６０号公報
【発明の開示】
【発明が解決しようとする課題】
【０００９】
図３に示したような点灯回路の場合には、放電管を流れる電流を独立して制御するため安定点灯と均一化は容易に達成できるが、高価なインバータを放電管毎に設けなければならず全体として非常にコスト高となる。
【００１０】
また図４に示したような点灯回路の場合には、安価には構成することができるが、直列インピーダンスにより放電管との合計インピーダンスのバラツキを緩和しているだけなのでバラスト効果には限界があり、放電管毎の負荷のバラツキを十分吸収しきれず、均一化には限界がある。また、点灯時、先に点灯した放電管の電圧が下がってしまい他の未点灯の放電管の点灯を妨げようとするため、電圧が下がらないように強力なインバータ回路が必要となり、起動の瞬間には大電流を要する。またバラスト分だけインバータ出力電圧を高くする必要があり、電力ロスが多くなる。
【００１１】
さらに図５に示したような点灯回路の場合には、安価に構成することができ、均一化も達成できるが、インバータは、高圧出力且つ放電管の数に見合った大電流駆動能力を有しているため、短絡時や感電した時に非常に危険である。
【００１２】
また図６に示したような点灯回路は、様々な優れた特徴を有するが、液晶表示装置が大型化さらに高精細化するにつれ、バックライトとして用いられる冷陰極線蛍光管の本数は増加しており、また図６のような回路よりも均一な明るさ及び少ないノイズの実現が求められている。
【００１３】
従って、本発明の目的は、複数の放電管を点灯させる場合に、より均一な明るさ及び少ないノイズを実現するための新規な放電管点灯装置を提供することである。
【課題を解決するための手段】
【００１４】
本発明の第１の態様に係る放電管点灯装置は、複数の第１のトランスと、第２のトランスとを有する。そして、各第１のトランスの一次巻線は、他の第１のトランスの一次巻線と直列に接続され、各第１のトランスの二次巻線は、当該第１のトランスの二次巻線に対応する一の放電管の第１の端子に接続される。また、第２のトランスの二次巻線は、第１のトランスとは逆極性の電圧を供給するように放電管の第２の端子に接続され、第１及び第２のトランスの一次巻線は電気的に交流電源に接続される。複数の第１のトランスと１又は複数の第２のトランスとにより複数の放電管を差動で駆動するため全ての放電管について均一な明るさを実現し、ノイズを減少させることができる。
【００１５】
なお、複数の放電管に一の第２のトランスが接続されるようにしてもよい。すなわち、第１のトランスの数よりも第２のトランスの数を減らすことも可能である。
【００１６】
また、複数の第１のトランスの一次巻線と第２のトランスの一次巻線が交流電源に対して直列に配置されるようにしてもよいし、複数の第１のトランスの一次巻線と第２のトランスの一次巻線が交流電源に対して並列に配置されるようにしてもよい。
【００１７】
さらに、複数の第１のトランスのうち一次巻線が直列接続される２つの第１のトランスの二次巻線に接続される２本の放電管にそれぞれ逆極性の電流が流れるように第１のトランスの二次巻線と放電管とが接続されるようにしてもよい。このようにすればグランドなどへの影響がより小さいエリアで相殺されるためノイズがより少なくなる。
【００１８】
なお、第２のトランスがセンタータップを有しており、当該センタータップがグランドに接続されるようにしてもよい。
【００１９】
また、本発明の第２の態様に係る放電管点灯装置は、一次巻線が電気的に交流電源に接続され、二次巻線が放電管に接続された複数のトランスを具備し、各トランスの高圧出力により複数の放電管を点灯させる放電管点灯装置であって、上記複数のトランスは、放電管の第１の端子に接続された第１のグループと、放電管の第２の端子に接続された第２のグループとに割り振られる。そして、第１のグループに属するトランスと第２のグループに属するトランスとの差動ドライブにより、複数の放電管を点灯させ、第１又は第２のグループの少なくとも一方若しくは両方に、一次巻線が他のトランスの一次巻線と直列接続されたトランスを備えるものである。
【００２０】
また、複数の放電管の第１の端子と第２の端子とのうち少なくともいずれかには、一次巻線が他のトランスの一次巻線と直列接続されたトランスが接続されるようにしてもよい。
【００２１】
さらに、交流電源が、第１のグループに属するトランスと第２のグループに属するトランスに対して並列に接続されるようにしてもよい。
【００２２】
また、交流電源が、第１のグループに属するトランスと第２のグループに属するトランスに対して直列に接続されるようにしてもよい。
【発明の効果】
【００２３】
本発明によれば、複数の放電管を点灯させる場合に、より均一な明るさ及び少ないノイズを実現することができるようになる。
【発明を実施するための最良の形態】
【００２４】
１．実施の形態１
図７に本発明の第１の実施の形態に係る放電管点灯用回路を示す。図７の放電管点灯用回路１０は、交流電源Ｖ１と、トランスＴ１乃至Ｔ８と、冷陰極線蛍光管などの放電管ＬＰ１乃至ＬＰ４とを有する。本願の全実施の形態において、交流電源にはスイッチング型インバータ電源を含み、スイッチング回路の例としては、フルブリッジ、ハーフブリッジ等が考えられる。交流電源Ｖ１は、トランスＴ４の一次巻線の端子Ｐ１及びトランスＴ１の一次巻線の端子Ｐ２、並びにトランスＴ８の一次巻線の端子Ｐ１及びトランスＴ５の一次巻線の端子Ｐ２に接続されている。また、トランスＴ４の一次巻線の端子Ｐ２とトランスＴ３の一次巻線の端子Ｐ１、トランスＴ３の一次巻線の端子Ｐ２とトランスＴ２の一次巻線の端子Ｐ１、トランスＴ２の一次巻線の端子Ｐ２とトランスＴ１の一次巻線の端子Ｐ１は、それぞれ接続されている。すなわち、トランスＴ１乃至Ｔ４の一次巻線は交流電源Ｖ１と直列に接続されている。さらに、トランスＴ８の一次巻線の端子Ｐ２とトランスＴ７の一次巻線の端子Ｐ１、トランスＴ７の一次巻線の端子Ｐ２とトランスＴ６の一次巻線の端子Ｐ１、トランスＴ６の一次巻線の端子Ｐ２とトランスＴ５の一次巻線の端子Ｐ１は、それぞれ接続されている。すなわち、トランスＴ５乃至Ｔ８の一次巻線も交流電源Ｖ１と直列に接続されている。
【００２５】
また、トランスＴ１の二次巻線の端子Ｓ２は、放電管ＬＰ１の一端と接続されており、トランスＴ５の二次巻線の端子Ｓ２は、放電管ＬＰ１の他端と接続されている。なお、トランスＴ１の二次巻線の端子Ｓ１及びトランスＴ５の二次巻線の端子Ｓ１は、グランドに接続されている。同様に、トランスＴ２の二次巻線の端子Ｓ２は、放電管ＬＰ２の一端と接続されており、トランスＴ６の二次巻線の端子Ｓ２は、放電管ＬＰ２の他端と接続されている。なお、トランスＴ２の二次巻線の端子Ｓ１及びトランスＴ６の二次巻線の端子Ｓ１は、グランドに接続されている。さらに、トランスＴ３の二次巻線の端子Ｓ２は、放電管ＬＰ３の一端と接続されており、トランスＴ７の二次巻線の端子Ｓ２は、放電管ＬＰ３の他端と接続されている。なお、トランスＴ３の二次巻線の端子Ｓ１及びトランスＴ７の二次巻線の端子Ｓ１は、グランドに接続されている。また、トランスＴ４の二次巻線の端子Ｓ２は、放電管ＬＰ４の一端と接続されており、トランスＴ８の二次巻線の端子Ｓ２は、放電管ＬＰ４の他端と接続されている。なお、トランスＴ４の二次巻線の端子Ｓ１及びトランスＴ８の二次巻線の端子Ｓ１は、グランドに接続されている。
【００２６】
このように、交流電源Ｖ１とトランスＴ１乃至Ｔ４、交流電源Ｖ１とトランスＴ５乃至Ｔ８は、直列に接続されているので、トランスＴ１乃至Ｔ４、トランスＴ５乃至Ｔ８の各々に流れる電流は同一となる。トランスの二次巻線の端子間には、昇圧比ｍ倍の電圧が出力されると共に、トランスの性質として二次巻線に流れる電流は、一次巻線に流れる電流の１／ｍとなる。トランスＴ１乃至Ｔ８は、全て同じ昇圧比ｍのトランスであるので、二次巻線に流れる電流も常に同じとなる。また、放電管の両端子には逆極性の電圧が印加されるように接続されており、各放電管は差動駆動される。これにより左右均一な放電が得られるため、放電管の左右の輝度差が無くなる。
【００２７】
さらに、一部の放電管が不点灯になろうとしても放電管自身の直列接続と同じように、電流のほとんど流れていない未点灯の放電管に電圧が集中し、強制的に放電させる効果があり、全ての放電管を確実に点灯できる。すなわち、交流電源Ｖ１については１回路のまま多数の放電管を安定且つ均一に点灯させることができる。一方、実際にトランスの二次巻線が直列に接続されているわけではないので、１本ずつ点灯させる個別点灯や並列点灯と同じ電圧しか発生しない。そのため、グランドや隣接する放電管に対する浮遊容量によるリーク電流は個別点灯時や並列点灯時と比べて一切増加していない。さらに、一次巻線側から見れば二次巻線側の放電管を直列に接続したものと同じに見えるため、二次巻線側のトランスや放電管の高圧回路が短絡した場合であっても、ｎ灯直列の内の１灯短絡と等価となり、正常時電流のｎ／（ｎ−１）倍と、１灯正常時電流よりわずかの増加に留まるため、二次故障の発生や発煙発火などが抑制される。もっとも、交流電源の定電流制御を行う場合には、ｎ／ｎ＝１倍に収束する。また、ショートした部分自身は、電流はその値で電圧は０なので発熱もしない。同様に、並列点灯に比べて誤って二字巻線側で感電した場合にも、最大でも１灯正常時電流程度しか流れないので、並列点灯の場合に比べて極めて低電流で安全性が高い。
【００２８】
なお、本実施の形態において用いられるトランスについては、図２に示したトランスと比べると、コア・銅体積及び二次巻線における断面積及び巻数については同じであるが、一次巻線の断面積についてはｎ（ｎ本の放電管の場合）倍、巻数については１／ｎ倍にする。
【００２９】
２．実施の形態２
図８に本発明の第２の実施の形態に係る放電管点灯用回路を示す。図８の放電管点灯用回路２０は、交流電源Ｖ２と、トランスＴ９乃至Ｔ１６と、放電管ＬＰ５乃至ＬＰ８とを有する。交流電源Ｖ２は、トランスＴ１２の一次巻線の端子Ｐ１及びトランスＴ１６の一次巻線の端子Ｐ１に接続されている。また、トランスＴ１２の一次巻線の端子Ｐ２とトランスＴ１１の一次巻線の端子Ｐ１、トランスＴ１１の一次巻線の端子Ｐ２とトランスＴ１０の一次巻線の端子Ｐ１、トランスＴ１０の一次巻線の端子Ｐ２とトランスＴ９の一次巻線の端子Ｐ１、トランスＴ９の一次巻線の端子Ｐ２とトランスＴ１３の一次巻線の端子Ｐ２、トランスＴ１３の一次巻線の端子Ｐ１とトランスＴ１４の一次巻線の端子Ｐ２、トランスＴ１４の一次巻線の端子Ｐ１とトランスＴ１５の一次巻線の端子Ｐ２、トランスＴ１５の一次巻線の端子Ｐ１とトランスＴ１６の一次巻線の端子Ｐ２は、それぞれ接続されている。すなわち、トランスＴ１２乃至Ｔ９及びトランスＴ１３乃至Ｔ１６の全ての一次巻線が交流電源Ｖ２と直列に接続されている。
【００３０】
また、トランスＴ９の二次巻線の端子Ｓ２は、放電管ＬＰ５の一端と接続されており、トランスＴ１３の二次巻線の端子Ｓ２は、放電管ＬＰ５の他端と接続されている。なお、トランスＴ９の二次巻線の端子Ｓ１及びトランスＴ１３の二次巻線の端子Ｓ１は、グランドに接続されている。同様に、トランスＴ１０の二次巻線の端子Ｓ２は、放電管ＬＰ６の一端と接続されており、トランスＴ１４の二次巻線の端子Ｓ２は、放電管ＬＰ６の他端と接続されている。なお、トランスＴ１０の二次巻線の端子Ｓ１及びトランスＴ１４の二次巻線の端子Ｓ１は、グランドに接続されている。さらに、トランスＴ１１の二次巻線の端子Ｓ２は、放電管ＬＰ７の一端と接続されており、トランスＴ１５の二次巻線の端子Ｓ２は、放電管ＬＰ７の他端と接続されている。なお、トランスＴ１１の二次巻線の端子Ｓ１及びトランスＴ１５の二次巻線の端子Ｓ１は、グランドに接続されている。また、トランスＴ１２の二次巻線の端子Ｓ２は、放電管ＬＰ８の一端と接続されており、トランスＴ１６の二次巻線の端子Ｓ２は、放電管ＬＰ８の他端と接続されている。なお、トランスＴ１２の二次巻線の端子Ｓ１及びトランスＴ１６の二次巻線の端子Ｓ１は、グランドに接続されている。
【００３１】
このように、交流電源Ｖ２とトランスＴ１２乃至Ｔ９及びトランスＴ１３乃至Ｔ１６は、直列に接続されているので、全てのトランスに流れる電流は同一となる。すなわち、二次巻線側に流れる電流も全てのトランスについて同一となる。従って、図７に示した実施の形態１の放電管点灯用回路１０よりもグランド（及び液晶表示装置に用いられる場合には液晶パネル）などへのトータルリークを少なくすることができる。また、放電管の両端子には逆極性の電圧が印加されるように接続されており、各放電管は差動駆動される。これにより放電管の左右の輝度差が無くなり、均一な放電を得られる。他の効果については図７に示した実施の形態１の放電管点灯用回路１０の場合と同じである。
【００３２】
なお、本実施の形態において用いられるトランスＴ９乃至Ｔ１６については、図２に示したトランスと比べると、コア・銅体積及び二次巻線における断面積及び巻数については同じであるが、一次巻線の断面積については２ｎ（ｎ本の放電管の場合）倍、巻数については１／２ｎ倍にする。
【００３３】
３．実施の形態３
図９に本発明の第３の実施の形態に係る放電管点灯用回路を示す。図９の放電管点灯用回路１１は、図７に示した放電管点灯用回路１０の変形であって、交流電源Ｖ１と、トランスＴ１乃至Ｔ８と、放電管ＬＰ１乃至ＬＰ４とを有する。交流電源Ｖ１は、トランスＴ４の一次巻線の端子Ｐ１及びトランスＴ１の一次巻線の端子Ｐ２、並びにトランスＴ８の一次巻線の端子Ｐ１及びトランスＴ５の一次巻線の端子Ｐ２に接続されている。また、トランスＴ４の一次巻線の端子Ｐ２とトランスＴ３の一次巻線の端子Ｐ１、トランスＴ３の一次巻線の端子Ｐ２とトランスＴ２の一次巻線の端子Ｐ１、トランスＴ２の一次巻線の端子Ｐ２とトランスＴ１の一次巻線の端子Ｐ１は、それぞれ接続されている。すなわち、トランスＴ１乃至Ｔ４の一次巻線は交流電源Ｖ１と直列に接続されている。さらに、トランスＴ８の一次巻線の端子Ｐ２とトランスＴ７の一次巻線の端子Ｐ１、トランスＴ７の一次巻線の端子Ｐ２とトランスＴ６の一次巻線の端子Ｐ１、トランスＴ６の一次巻線の端子Ｐ２とトランスＴ５の一次巻線の端子Ｐ１は、それぞれ接続されている。すなわち、トランスＴ５乃至Ｔ８の一次巻線も交流電源Ｖ１と直列に接続されている。ここまでは図７と同じである。
【００３４】
一方、トランスＴ１の二次巻線の端子Ｓ２は、放電管ＬＰ１の一端と接続されており、トランスＴ５の二次巻線の端子Ｓ２は、放電管ＬＰ１の他端と接続されている。なお、トランスＴ１の二次巻線の端子Ｓ１及びトランスＴ５の二次巻線の端子Ｓ１は、グランドに接続されている。これに対して、トランスＴ２の二次巻線の端子Ｓ１は、放電管ＬＰ２の一端と接続されており、トランスＴ６の二次巻線の端子Ｓ１は、放電管ＬＰ２の他端と接続されている。なお、トランスＴ２の二次巻線の端子Ｓ２及びトランスＴ６の二次巻線の端子Ｓ２は、グランドに接続されている。図７に示した放電管点灯用回路１０と比べると、放電管ＬＰ２の両端子に接続するトランスＴ２及びＴ６の二次巻線の端子が逆転しており、隣接配置される放電管ＬＰ１及び以下で述べる放電管ＬＰ３とは逆極性の電圧が印加されるように接続されている。
【００３５】
さらに、トランスＴ３の二次巻線の端子Ｓ２は、放電管ＬＰ３の一端と接続されており、トランスＴ７の二次巻線の端子Ｓ２は、放電管ＬＰ３の他端と接続されている。なお、トランスＴ３の二次巻線の端子Ｓ１及びトランスＴ７の二次巻線の端子Ｓ１は、グランドに接続されている。これに対して、トランスＴ４の二次巻線の端子Ｓ１は、放電管ＬＰ４の一端と接続されており、トランスＴ８の二次巻線の端子Ｓ１は、放電管ＬＰ４の他端と接続されている。なお、トランスＴ４の二次巻線の端子Ｓ２及びトランスＴ８の二次巻線の端子Ｓ２は、グランドに接続されている。図７に示した放電管点灯用回路１０と比べると、放電管ＬＰ４の両端子に接続するトランスＴ４及びＴ８の二次巻線の端子が逆転しており、隣接配置される放電管ＬＰ３とは逆極性の電圧が印加されるように接続されている。
【００３６】
図９に示した放電管点灯用回路１１は、基本的には図７に示した放電管点灯用回路１０と同じように動作するが、放電管ＬＰ１乃至ＬＰ４において隣り合う放電管同士は逆極性の電圧が印加されるように接続されているため、グランド等（及び液晶表示装置に用いる場合には液晶パネル）への電界がより小さいエリアで相殺されるので、よりノイズを減少させることができる。
【００３７】
４．実施の形態４
図１０に本発明の第４の実施の形態に係る放電管点灯用回路を示す。図１０の放電管点灯用回路２１は、図８に示した放電管点灯用回路２０の変形であり、交流電源Ｖ２と、トランスＴ９乃至Ｔ１６と、放電管ＬＰ５乃至ＬＰ８とを有する。交流電源Ｖ２は、トランスＴ１２の一次巻線の端子Ｐ１及びトランスＴ１６の一次巻線の端子Ｐ１に接続されている。また、トランスＴ１２の一次巻線の端子Ｐ２とトランスＴ１１の一次巻線の端子Ｐ１、トランスＴ１１の一次巻線の端子Ｐ２とトランスＴ１０の一次巻線の端子Ｐ１、トランスＴ１０の一次巻線の端子Ｐ２とトランスＴ９の一次巻線の端子Ｐ１、トランスＴ９の一次巻線の端子Ｐ２とトランスＴ１３の一次巻線の端子Ｐ２、トランスＴ１３の一次巻線の端子Ｐ１とトランスＴ１４の一次巻線の端子Ｐ２、トランスＴ１４の一次巻線の端子Ｐ１とトランスＴ１５の一次巻線の端子Ｐ２、トランスＴ１５の一次巻線の端子Ｐ１とトランスＴ１６の一次巻線の端子Ｐ２は、それぞれ接続されている。すなわち、トランスＴ１２乃至Ｔ９及びトランスＴ１３乃至Ｔ１６の全ての一次巻線が交流電源Ｖ２と直列に接続されている。ここまでは図８と全く同じである。
【００３８】
一方、トランスＴ９の二次巻線の端子Ｓ２は、放電管ＬＰ５の一端と接続されており、トランスＴ１３の二次巻線の端子Ｓ２は、放電管ＬＰ５の他端と接続されている。なお、トランスＴ９の二次巻線の端子Ｓ１及びトランスＴ１３の二次巻線の端子Ｓ１は、グランドに接続されている。これに対して、トランスＴ１０の二次巻線の端子Ｓ１は、放電管ＬＰ６の一端と接続されており、トランスＴ１４の二次巻線の端子Ｓ１は、放電管ＬＰ６の他端と接続されている。なお、トランスＴ１０の二次巻線の端子Ｓ２及びトランスＴ１４の二次巻線の端子Ｓ２は、グランドに接続されている。図８に示した放電管点灯用回路２０と比べると、放電管ＬＰ６の両端子に接続するトランスＴ１０及びＴ１４の二次巻線の端子が逆転しており、隣接配置される放電管ＬＰ５及び以下で述べる放電管ＬＰ７とは逆極性の電圧が印加されるように接続されている。
【００３９】
さらに、トランスＴ１１の二次巻線の端子Ｓ２は、放電管ＬＰ７の一端と接続されており、トランスＴ１５の二次巻線の端子Ｓ２は、放電管ＬＰ７の他端と接続されている。なお、トランスＴ１１の二次巻線の端子Ｓ１及びトランスＴ１５の二次巻線の端子Ｓ１は、グランドに接続されている。また、トランスＴ１２の二次巻線の端子Ｓ１は、放電管ＬＰ８の一端と接続されており、トランスＴ１６の二次巻線の端子Ｓ１は、放電管ＬＰ８の他端と接続されている。なお、トランスＴ１２の二次巻線の端子Ｓ２及びトランスＴ１６の二次巻線の端子Ｓ２は、グランドに接続されている。図８に示した放電管点灯用回路２０と比べると、放電管ＬＰ８の両端子に接続するトランスＴ１２及びＴ１６の二次巻線の端子が逆転しており、隣接配置される放電管ＬＰ７とは逆極性の電圧が印加されるように接続されている。
【００４０】
図１０に示した放電管点灯用回路２１は、基本的には図８に示した放電管点灯用回路２０と同じように動作するが、放電管ＬＰ５乃至ＬＰ８において隣り合う放電管同士は逆極性の電圧が印加されるように接続されているため、グランド等（及び液晶表示装置に用いる場合には液晶パネル）への電界がより小さいエリアで相殺されるので、よりノイズを減少させることができる。
【００４１】
５．変形例
本実施の形態では、図１１（ａ）並びに図７及び図９に示すように、放電管の左右の端子に接続される、トランスの各系列に交流電源を並列に接続する場合と、図１１（ｂ）並びに図８及び図１０に示すように、放電管の左右の端子に接続される全てのトランスを交流電源と直列に接続する場合との両方の態様が存在する。前者を両極間並列接続と呼び、後者を両極間直列接続と呼び、以下で述べる実施の形態では両極間直列接続についての例を述べるが、両極間並列接続に変形することは本実施の形態が理解されれば容易に行うことができるものである。
【００４２】
なお、両極間並列接続によれば、放電管の左右に印加される電圧のバランスが取れるため、各放電管からアースや液晶パネルへ放射される電界が、より小さな領域で相殺され、その結果、電界ノイズの影響を低減させることができる。よって、液晶に対する電界ノイズが低減される。
【００４３】
また、両極間直列接続によれば、放電管の左右を流れる電流のバランスが取れるため、各放電管の両端が左右均一な明るさになり、また、アースや液晶パネルへ流れ込む電流のトータルリークが少なくなるため、電流ノイズの影響を低減させることができる。よって外部に対する不要な輻射ノイズが低減される。また、液晶に対する磁界ノイズ低減も期待できる。
【００４４】
また、図１１（ｃ）に示すように、放電管の右端子が接続されるトランスの一次巻線側と、放電管の左端子が接続されるトランスの一次巻線側とに別の交流電源を接続させることも可能であるが、実際に放電管を点灯させるためには両交流電源を例えば同期信号線３０における同期信号にて同期させる必要があるため、実質的には１つの交流電源と変わらない。本願においては、図１１（ｃ）のような場合も１つの交流電源であるものとして取り扱う。当然ながら、交流電源を直列に接続して複数の交流電源にて放電管点灯用回路を構成するようにしても良いが、これもまた１つの交流電源と同じように動作させる必要があるため、本願においてはこれも１つの交流電源であるものとして取り扱う。
【００４５】
６．実施の形態５
図１２に本発明の第５の実施の形態に係る放電管点灯用回路を示す。図１２の放電管点灯用回路４０は、交流電源Ｖ３と、トランスＴ２１乃至Ｔ２５と、放電管ＬＰ９乃至ＬＰ１２とを有する。交流電源Ｖ３は、トランスＴ２１の一次巻線の端子Ｐ１とトランスＴ２５の一次巻線の端子Ｐ１と接続している。また、トランスＴ２１の一次巻線の端子Ｐ２はトランスＴ２２の一次巻線の端子Ｐ２に接続されており、トランスＴ２２の一次巻線の端子Ｐ１はトランスＴ２３の一次巻線の端子Ｐ２に接続されており、トランスＴ２３の一次巻線の端子Ｐ１はトランスＴ２４の一次巻線の端子Ｐ２に接続されており、トランスＴ２４の一次巻線の端子Ｐ１はトランスＴ２５の一次巻線の端子Ｐ２に接続されている。上で述べたように両極間直列接続になっている。
【００４６】
また、放電管ＬＰ９の一端は、トランスＴ２１の二次巻線の端子Ｓ２に接続され、放電管ＬＰ９の他端は、トランスＴ２２の二次巻線の端子Ｓ２に接続される。また、放電管ＬＰ１０の一端は、トランスＴ２１の二次巻線の端子Ｓ２に接続され、放電管ＬＰ１０の他端は、トランスＴ２３の二次巻線の端子Ｓ２に接続される。さらに、放電管ＬＰ１１の一端は、トランスＴ２１の二次巻線の端子Ｓ２に接続され、放電管ＬＰ１１の他端は、トランスＴ２４の二次巻線の端子Ｓ２に接続される。また、放電管ＬＰ１２の一端は、トランスＴ２１の二次巻線の端子Ｓ２に接続され、放電管ＬＰ１２の他端は、トランスＴ２５の二次巻線の端子Ｓ２に接続される。トランスＴ２１の二次巻線の端子Ｓ１、トランスＴ２２の二次巻線の端子Ｓ１、トランスＴ２３の二次巻線の端子Ｓ１、トランスＴ２４の二次巻線の端子Ｓ１、及びトランスＴ２５の二次巻線の端子Ｓ１は、グランドに接続されている。
【００４７】
このように放電管の片側のトランスについてはトランスＴ２１を共通に用いるようにしているため、部品点数が削減される。また、トランスＴ２２乃至Ｔ２５により電流の均一化を図り、トランスＴ２１により放電管にトランスＴ２２乃至Ｔ２５とは逆極性の電流を供給するものである。
【００４８】
なお、本実施の形態において用いられるトランスＴ２２乃至Ｔ２５については、図２に示したトランスと比べると、コア・銅体積及び二次巻線における断面積及び巻数については同じであるが、一次巻線の断面積については２ｎ（ｎ本の放電管の場合）倍、巻数については１／２ｎ倍にする。
【００４９】
また、本実施の形態を両極間並列接続にすればトランスＴ２２乃至Ｔ２５については、図２に示したトランスと比べると、コア・銅体積及び二次巻線における断面積及び巻数については同じであるが、一次巻線の断面積についてはｎ倍、巻数については１／ｎ倍にする。
【００５０】
さらに、本実施の形態において用いられるトランスＴ２１については、図２に示したトランスと比べると、コア・銅体積についてはｎ倍、一次巻線の断面積については２ｎ倍、巻数については１／２倍、二次巻線における断面積についてはｎ倍、巻数については同じとする。
【００５１】
また、本実施の形態を両極間並列接続にすればトランスＴ２１については、図２に示したトランスと比べると、コア・銅体積についてはｎ倍、一次巻線の断面積についてはｎ倍、巻数については同じ、二次巻線における断面積についてはｎ倍、巻数については同じとする。
【００５２】
７．実施の形態６
図１３に本発明の第６の実施の形態に係る放電管点灯用回路を示す。図１３の放電管点灯用回路５０は、交流電源Ｖ４と、二次巻線側にセンタータップが設けられたトランスＴ２６と、トランスＴ２７乃至Ｔ３０と、放電管ＬＰ１３乃至ＬＰ１６とを有する。交流電源Ｖ４は、トランスＴ２６の一次巻線の端子Ｐ２と、トランスＴ３０の一次巻線の端子Ｐ１に接続されている。また、トランスＴ２６の一次巻線の端子Ｐ１はトランスＴ２７の一次巻線の端子Ｐ２に接続されており、トランスＴ２７の一次巻線の端子Ｐ１はトランスＴ２８の一次巻線の端子Ｐ２に接続されており、トランスＴ２８の一次巻線の端子Ｐ１はトランスＴ２９の一次巻線の端子Ｐ２に接続されており、トランスＴ２９の一次巻線の端子Ｐ１はトランスＴ３０の一次巻線の端子Ｐ２に接続されている。上で述べたように両極間直列接続になっている。
【００５３】
また、放電管ＬＰ１３の一端は、トランスＴ２６の二次巻線の端子Ｓ１に接続され、放電管ＬＰ１３の他端は、トランスＴ２７の二次巻線の端子Ｓ２に接続される。放電管ＬＰ１４の一端は、トランスＴ２６の二次巻線の端子Ｓ３に接続され、放電管ＬＰ１４の他端は、トランスＴ２８の二次巻線の端子Ｓ１に接続される。トランスＴ２７の二次巻線の端子Ｓ１及びトランスＴ２８の二次巻線の端子Ｓ２は、グランドに接続されている。さらに、放電管ＬＰ１５の一端は、トランスＴ２６の二次巻線の端子Ｓ１に接続され、放電管ＬＰ１５の他端は、トランスＴ２９の二次巻線の端子Ｓ２に接続される。放電管ＬＰ１６の一端は、トランスＴ２６の二次巻線の端子Ｓ３に接続され、放電管ＬＰ１６の他端は、トランスＴ３０の二次巻線の端子Ｓ１に接続される。トランスＴ２９の二次巻線の端子Ｓ１及びトランスＴ３０の二次巻線の端子Ｓ２は、グランドに接続されている。トランスＴ２６のセンタータップＳ２はグランドに接続されている。
【００５４】
図１２に示した放電管点灯用回路４０のように、放電管の片側のトランスについてはトランスＴ２６を共通に用いるようにしているため、部品点数が削減される。また、トランスＴ２７乃至Ｔ３０により電流の均一化を図っているが、放電管点灯用回路５０では隣接する放電管を交互に逆極性の電流が供給されるように接続している。トランスＴ２６については、センタータップＳ２をグランドに接続しているため、トランスＴ２６の二次巻線の端子Ｓ１と端子Ｓ３に接続されている放電管には逆極性の等しい電圧を出力している。従って、隣接配置された放電管の明るさはより均一になる。
【００５５】
８．実施の形態７
図１４に本発明の第７の実施の形態に係る放電管点灯用回路を示す。図１４の放電管点灯用回路６０は、交流電源Ｖ５と、トランスＴ３１乃至Ｔ３５と、放電管ＬＰ１７乃至ＬＰ２０とを有する。交流電源Ｖ５は、トランスＴ３１の一次巻線の端子Ｐ１と、トランスＴ３５の一次巻線の端子Ｐ１とに接続されている。また、トランスＴ３１の一次巻線の端子Ｐ２はトランスＴ３２の一次巻線の端子Ｐ２に接続されており、トランスＴ３２の一次巻線の端子Ｐ１はトランスＴ３３の一次巻線の端子Ｐ２に接続されており、トランスＴ３３の一次巻線の端子Ｐ１はトランスＴ３４の一次巻線の端子Ｐ２に接続されており、トランスＴ３４の一次巻線の端子Ｐ１はトランスＴ３５の一次巻線の端子Ｐ２に接続されている。上で述べたように両極間直列接続になっている。
【００５６】
また、放電管ＬＰ１７の一端は、トランスＴ３１の二次巻線の端子Ｓ２に接続されており、その他端は、トランスＴ３２の二次巻線の端子Ｓ２に接続されている。また、放電管ＬＰ１８の一端は、トランスＴ３１の二次巻線の端子Ｓ１に接続されており、その他端は、トランスＴ３３の端子Ｓ１に接続されている。なお、トランスＴ３２の二次巻線の端子Ｓ１及びトランスＴ３３の二次巻線の端子Ｓ２はグランドに接続されている。また、放電管ＬＰ１９の一端は、トランスＴ３１の二次巻線の端子Ｓ２に接続されており、その他端は、トランスＴ３４の二次巻線の端子Ｓ２に接続されている。また、放電管ＬＰ２０の一端は、トランスＴ３１の二次巻線の端子Ｓ１に接続されており、その他端は、トランスＴ３５の端子Ｓ１に接続されている。なお、トランスＴ３４の二次巻線の端子Ｓ１及びトランスＴ３５の二次巻線の端子Ｓ２はグランドに接続されている。
【００５７】
このような放電管点灯用回路６０では、トランスＴ３１の電位は決めずフローティングのまま、トランスＴ３２乃至Ｔ３５により均一な電流を各放電管に供給している。さらに、隣接配置された放電管については交互に逆極性の電流が供給されるように接続されている。このように、隣接する放電管において、浮遊容量のアンバランスによるノイズが抑えられる。
【００５８】
９．実施の形態８
図１５に本発明の第８の実施の形態に係る放電管点灯用回路を示す。図１５の放電管点灯用回路７０は、交流電源Ｖ６と、トランスＴ３６乃至Ｔ４３と、放電管ＬＰ２１乃至ＬＰ２４とを有する。交流電源Ｖ６は、トランスＴ３６の一次巻線の端子Ｐ１、トランスＴ３７の一次巻線の端子Ｐ１、トランスＴ３８の一次巻線の端子Ｐ１、トランスＴ３９の一次巻線の端子Ｐ１及びトランスＴ４０の一次巻線の端子Ｐ２、並びにトランスＴ３６の一次巻線の端子Ｐ２、トランスＴ３７の一次巻線の端子Ｐ２、トランスＴ３８の一次巻線の端子Ｐ２、トランスＴ３９の一次巻線の端子Ｐ２及びトランスＴ４３の一次巻線の端子Ｐ１に接続されている。また、トランスＴ４０の一次巻線の端子Ｐ１はトランスＴ４１の一次巻線の端子Ｐ２に接続されており、トランスＴ４１の一次巻線の端子Ｐ１はトランスＴ４２の一次巻線の端子Ｐ２に接続されており、トランスＴ４２の一次巻線の端子Ｐ１はトランスＴ４３の一次巻線の端子Ｐ２に接続されている。すなわち、図１５の左側に設けられたトランスＴ３６乃至Ｔ３９の一次巻線は並列に接続されており、一方、図１５の右側に設けられたトランスＴ４０乃至Ｔ４３の一次巻線は直列に接続されている。
【００５９】
また、トランスＴ３６の二次巻線の端子Ｓ２は、放電管ＬＰ２１の一端と接続されており、トランスＴ４０の二次巻線の端子Ｓ２は、放電管ＬＰ２１の他端と接続されている。なお、トランスＴ３６の二次巻線の端子Ｓ１及びトランスＴ４０の二次巻線の端子Ｓ１は、グランドに接続されている。同様に、トランスＴ３７の二次巻線の端子Ｓ２は、放電管ＬＰ２２の一端と接続されており、トランスＴ４１の二次巻線の端子Ｓ２は、放電管ＬＰ２２の他端と接続されている。なお、トランスＴ３７の二次巻線の端子Ｓ１及びトランスＴ４１の二次巻線の端子Ｓ１は、グランドに接続されている。さらに、トランスＴ３８の二次巻線の端子Ｓ２は、放電管ＬＰ２３の一端と接続されており、トランスＴ４２の二次巻線の端子Ｓ２は、放電管ＬＰ２３の他端と接続されている。なお、トランスＴ３８の二次巻線の端子Ｓ１及びトランスＴ４２の二次巻線の端子Ｓ１は、グランドに接続されている。また、トランスＴ３９の二次巻線の端子Ｓ２は、放電管ＬＰ２４の一端と接続されており、トランスＴ４３の二次巻線の端子Ｓ２は、放電管ＬＰ２４の他端と接続されている。なお、トランスＴ３９の二次巻線の端子Ｓ１及びトランスＴ４３の二次巻線の端子Ｓ１は、グランドに接続されている。
【００６０】
このようにすれば、トランスＴ４０乃至Ｔ４３により放電管ＬＰ２１乃至ＬＰ２４に流れる電流を均等にすることができ、一方、トランスＴ３６乃至Ｔ３９は対応するトランス（トランスＴ４０乃至Ｔ４３のいずれか）に対して逆極性の電圧を供給することができるようになる。すなわち、各放電管の放電が均一化され、さらに各放電管は差動駆動されるため、放電管の左右の輝度差が無くなる。
【００６１】
なお、トランスの仕様としては、トランスＴ３６乃至Ｔ３９については図２に示したものと同様のものが使用され、トランスＴ４０乃至Ｔ４３については図７に示したものと同様のものが使用される。
【００６２】
１０．実施の形態９
図１６に本発明の第９の実施の形態に係る放電管点灯用回路を示す。図１６の放電管点灯用回路８０は、交流電源Ｖ７と、トランスＴ４４乃至Ｔ５１と、放電管ＬＰ２５乃至ＬＰ２８とを有する。交流電源Ｖ７は、トランスＴ４５の一次巻線の端子Ｐ１、トランスＴ４７の一次巻線の端子Ｐ１、トランスＴ４８の一次巻線の端子Ｐ２及びトランスＴ５０の一次巻線の端子Ｐ２、並びに、トランスＴ４５の一次巻線の端子Ｐ２、トランスＴ４７の一次巻線の端子Ｐ２、トランスＴ４８の一次巻線の端子Ｐ１及びトランスＴ５０の一次巻線の端子Ｐ１に接続されている。すなわち、トランスＴ４５、Ｔ４７、Ｔ４８及びＴ５０の一次巻線については並列に接続されている。
【００６３】
また、交流電源Ｖ７は、トランスＴ４６の一次巻線の端子Ｐ１及びトランスＴ５１の一次巻線の端子Ｐ１に接続されている。また、トランスＴ４６の一次巻線の端子Ｐ２はトランスＴ４４の一次巻線の端子Ｐ１に接続されており、トランスＴ４４の一次巻線の端子Ｐ２はトランスＴ４９の一次巻線の端子Ｐ２に接続されており、トランスＴ４９の一次巻線の端子Ｐ１はトランスＴ５１の一次巻線の端子Ｐ２に接続されている。すなわち、トランスＴ４６、Ｔ４４、Ｔ４９及びＴ５１の一次巻線については直列に接続されている。
【００６４】
このように、図１６の左側に設けられた上から１番目及び３番目のトランスの一次巻線と右側に設けられた上から２番目及び４番目のトランスの一次巻線は、直列に接続されている。一方、図１６の左側に設けられた上から２番目及び４番目のトランスの一次巻線と右側に設けられた上から１番目及び３番目のトランスの一次巻線は、並列に接続されている。
【００６５】
また、トランスＴ４４の二次巻線の端子Ｓ２は、放電管ＬＰ２５の一端と接続されており、トランスＴ４８の二次巻線の端子Ｓ２は、放電管ＬＰ２５の他端と接続されている。なお、トランスＴ４４の二次巻線の端子Ｓ１及びトランスＴ４８の二次巻線の端子Ｓ１は、グランドに接続されている。同様に、トランスＴ４５の二次巻線の端子Ｓ２は、放電管ＬＰ２６の一端と接続されており、トランスＴ４９の二次巻線の端子Ｓ２は、放電管ＬＰ２６の他端と接続されている。なお、トランスＴ４５の二次巻線の端子Ｓ１及びトランスＴ４９の二次巻線の端子Ｓ１は、グランドに接続されている。さらに、トランスＴ４６の二次巻線の端子Ｓ２は、放電管ＬＰ２７の一端と接続されており、トランスＴ５０の二次巻線の端子Ｓ２は、放電管ＬＰ２７の他端と接続されている。なお、トランスＴ４６の二次巻線の端子Ｓ１及びトランスＴ５０の二次巻線の端子Ｓ１は、グランドに接続されている。また、トランスＴ４７の二次巻線の端子Ｓ２は、放電管ＬＰ２８の一端と接続されており、トランスＴ５１の二次巻線の端子Ｓ２は、放電管ＬＰ２８の他端と接続されている。なお、トランスＴ４７の二次巻線の端子Ｓ１及びトランスＴ５１の二次巻線の端子Ｓ１は、グランドに接続されている。
【００６６】
このように、各放電管の片側のトランスは、直列に接続されており、他の片側のトランスは、並列に接続されている。このようにすれば、各放電管の片方のトランスにより、各放電管に流れる電流が均等化され、もう一方のトランスにより逆極性の電圧を供給するようになっている。すなわち、各放電管の放電が均一化され、さらに各放電管は差動駆動されるため、放電管の左右の輝度差が無くなる。
【００６７】
なお、トランスの仕様としては、並列に接続されているトランスＴ４５、Ｔ４７、Ｔ４８及びＴ５０については図２に示したものと同様のものが使用され、直列に接続されているトランスＴ４４、Ｔ４６、Ｔ４９及びＴ５１については図７に示したものと同様のものが使用される。
【００６８】
以上本発明の実施の形態を説明したが、本発明はこれに限定されるものではない。例えば、上で述べた実施の形態では４本の放電管の例を示したが、放電管の本数に限定は無く、全放電管に対して上で述べた実施の形態の方式を任意に組み合わせて放電管点灯用回路を構成することができる。同種の方式を複数組み合わせるようにしても良い。
【図面の簡単な説明】
【００６９】
【図１】第１の従来例を示す図である。
【図２】第２の従来例を示す図である。
【図３】第３の従来例を示す図である。
【図４】第４の従来例を示す図である。
【図５】第５の従来例を示す図である。
【図６】第６の従来例を示す図である。
【図７】本発明の第１の実施の形態に係る回路図である。
【図８】本発明の第２の実施の形態に係る回路図である。
【図９】本発明の第３の実施の形態に係る回路図である。
【図１０】本発明の第４の実施の形態に係る回路図である。
【図１１】（ａ）乃至（ｃ）を、本発明の実施の形態における変形例をまとめた図である。
【図１２】本発明の第５の実施の形態に係る回路図である。
【図１３】本発明の第６の実施の形態に係る回路図である。
【図１４】本発明の第７の実施の形態に係る回路図である。
【図１５】本発明の第８の実施の形態に係る回路図である。
【図１６】本発明の第９の実施の形態に係る回路図である。
【符号の説明】
【００７０】
Ｖ  交流電源（又はインバータ）
ＬＰ  放電管
Ｔ  トランス
【図１】
2006049214.tif 000003
【図２】
2006049214.tif 000004
【図３】
2006049214.tif 000005
【図４】
2006049214.tif 000006
【図５】
2006049214.tif 000007
【図６】
2006049214.tif 000008
【図７】
2006049214.tif 000009
【図８】
2006049214.tif 000010
【図９】
2006049214.tif 000011
【図１０】
2006049214.tif 000012
【図１１】
2006049214.tif 000013
【図１２】
2006049214.tif 000014
【図１３】
2006049214.tif 000015
【図１４】
2006049214.tif 000016
【図１５】
2006049214.tif 000017
【図１６】
2006049214.tif 000018